(57)【要約】【課題】高密度に配置する小型セルの数が多くなるにつれ、セル検出用参照信号を送信するリソースでは、データ送信に利用可能なリソースが少なくなる。【解決手段】設定部１０１は、セル検出用の第１の参照信号が配置されるサブフレームを設定する。第１の参照信号は、サブフレーム内の、第２の参照信号を配置するために設定された複数のリソースの一部である複数の候補リソースの何れかに配置される。送信処理部１０４は、サブフレームを示す情報を送信する。受信処理部１０８は、第１の参照信号を用いて測定された受信品質の測定結果を示す測定情報を受信する。複数の候補リソースは、複数のリソースのうち、端末が接続する基地局において第２の参照信号を無送信とするリソースであり、各セルのセル識別番号に基づいて、複数の候補リソースのうち、各セルから送信される第１の参照信号がそれぞれ配置されるリソースが決定される。【選択図】図４
2020114015.tif 000002
【特許請求の範囲】
【請求項１】
セル検出用の第１の参照信号が配置されるサブフレームを設定し、前記第１の参照信号は、前記サブフレーム内の、第２の参照信号を配置するために設定された複数のリソースの一部である複数の候補リソースの何れかに配置される、設定部と、
前記サブフレームを示す情報を送信する送信処理部と、
前記第１の参照信号を用いて測定された受信品質の測定結果を示す測定情報を受信する受信処理部と、
を具備し、
前記複数の候補リソースは、前記複数のリソースのうち、端末が接続する基地局において前記第２の参照信号を無送信とするリソースであり、
各セルのセル識別番号に基づいて、前記複数の候補リソースのうち、各セルから送信される前記第１の参照信号がそれぞれ配置されるリソースが決定される、
基地局。
【請求項２】
前記第１の参照信号は、システム帯域全体に渡って配置される、
請求項１に記載の基地局。
【請求項３】
前記システム帯域の幅は、システム帯域幅として取りうる最小値よりも広い帯域幅である、
請求項２に記載の基地局。
【請求項４】
前記複数の候補リソースは、前記複数のリソースのうち、端末が接続する基地局においてデータを無送信とするリソースである、
請求項１に記載の基地局。
【請求項５】
各送信ポイントのセル識別番号及び送信ポイント識別番号に基づいて、前記複数の候補リソースのうち、各送信ポイントから送信される前記第１の参照信号がそれぞれ配置されるリソースが決定される、
請求項１に記載の基地局。
【請求項６】
前記第２の参照信号は、チャネル情報測定用参照信号である、
請求項１に記載の基地局。
【請求項７】
前記第２の参照信号は、端末の位置測定用参照信号である、
請求項１に記載の基地局。
【請求項８】
前記セル検出用の第１の参照信号は、端末がoff状態の小型セルを検出するために送信されるディスカバリーシグナルである、
請求項１に記載の基地局。
【請求項９】
基地局によって実行される方法であって、
セル検出用の第１の参照信号が配置されるサブフレームを設定する、前記第１の参照信号は、前記サブフレーム内の、第２の参照信号を配置するために設定された複数のリソースの一部である複数の候補リソースの何れかに配置される、設定工程と、
前記サブフレームを示す情報を送信する送信工程と、
前記第１の参照信号を用いて測定された受信品質の測定結果を示す測定情報を受信する受信工程と、
を含み、
前記複数の候補リソースは、前記複数のリソースのうち、端末が接続する基地局において前記第２の参照信号を無送信とするリソースであり、
各セルのセル識別番号に基づいて、前記複数の候補リソースのうち、各セルから送信される前記第１の参照信号がそれぞれ配置されるリソースが決定される、
通信方法。
【請求項１０】
前記第１の参照信号は、システム帯域全体に渡って配置される、
請求項９に記載の通信方法。
【請求項１１】
前記システム帯域の幅は、システム帯域幅として取りうる最小値よりも広い帯域幅である、
請求項１０に記載の通信方法。
【請求項１２】
前記複数の候補リソースは、前記複数のリソースのうち、端末が接続する基地局においてデータを無送信とするリソースである、
請求項９に記載の通信方法。
【請求項１３】
各送信ポイントのセル識別番号及び送信ポイント識別番号に基づいて、前記複数の候補リソースのうち、各送信ポイントから送信される前記第１の参照信号がそれぞれ配置されているリソースが決定される、
請求項９に記載の通信方法。
【請求項１４】
前記第２の参照信号は、チャネル情報測定用参照信号である、
請求項９に記載の通信方法。
【請求項１５】
前記第２の参照信号は、端末の位置測定用参照信号である、
請求項９に記載の通信方法。
【請求項１６】
前記セル検出用の第１の参照信号は、端末がoff状態の小型セルを検出するために送信されるディスカバリーシグナルである、
請求項９に記載の通信方法。
【請求項１７】
セル検出用の第１の参照信号が配置されるサブフレームを設定し、前記第１の参照信号は、前記サブフレーム内の、第２の参照信号を配置するために設定された複数のリソースの一部である複数の候補リソースの何れかに配置される設定処理と、
前記サブフレームを示す情報を送信する送信処理と、
前記第１の参照信号を用いて測定された受信品質の測定結果を示す測定情報を受信する受信処理と、
を制御し、
前記複数の候補リソースは、前記複数のリソースのうち、端末が接続する基地局において前記第２の参照信号を無送信とするリソースであり、
各セルのセル識別番号に基づいて、前記複数の候補リソースのうち、各セルから送信される前記第１の参照信号がそれぞれ配置されるリソースが決定される、
集積回路。
【発明の詳細な説明】
【技術分野】
【０００１】
本開示は、基地局、通信方法、及び、集積回路に関する。
【背景技術】
【０００２】
3GPP-LTE（3rd Generation Partnership Project Radio Access Network Long Term Evolution、以下、LTEという）をさらに拡張したLTE-Advancedでは、以下のようにして増大するトラフィックを収容することが検討されている。すなわち、送信電力の高い基地局（eNBと呼ばれることもある）であるマクロセルのカバーエリア内に、送信電力の低い基地局である小型セル（スモールセル、又は、LPN（Low Power Node）と呼ばれることもある）を高密度に配置する。
【０００３】
小型セルの高密度な配置の運用に際して、小型セルが与える干渉の抑制及び小型セルの消費電力削減のため、小型セルのOn state（On状態）とOff state（Off状態）とを制御することが検討されている。小型セルのOff状態では、小型セルは、端末（User Equipment: UE）に対してデータを割り当てない「休止状態」となる。
【０００４】
ただし、小型セルからの全ての信号の送信を止めると、端末が当該小型セルを検出できなくなる。そこで、端末がOff状態の小型セルも検出できるように、小型セルがセル検出用参照信号（ディスカバリーシグナル（discovery signal）と呼ぶこともある）を送信することが検討されている。セル検出用参照信号を小型セルが端末に送信し、端末における測定結果をネットワークに報告させる。これにより、基地局は、端末と小型セルとの間の伝搬路状況又は各小型セルのトラフィック状況を勘案し、端末のセル接続を適切に設定することが可能となる。
【０００５】
セル検出用参照信号は、小型セルがOff状態である場合に、端末でのセル検出、時間周波数同期、及び、同一周波数・異周波数の無線リソース管理（Radio resource management: RRM）向けの測定を行うための信号である。端末への干渉及び小型セルの消費電力を抑えるために、セル検出用参照信号は、長い送信間隔で小型セルから送信されることが望まれる。また、セル検出用参照信号の送信間隔は、端末においてRRM向けの測定を行うために、ネットワークから事前に通知しておくことが考えられる。
【０００６】
なお、Off状態の小型セルは、セル検出用参照信号のみを送信し、他の信号を送信しない。よって、既存の端末（例えば、Rel.11以前の標準規格をサポートするLegacy UE）はセル検出用参照信号をRRM向け測定に用いることができない。一方新規の端末（例えば、Rel.12の標準規格をサポートするUE）は、小型セルの高度のためのセル検出用参照信号によるRRM測定に対応しており、セル検出用参照信号を観測できる。また、On状態の小型セルは、同期信号（Primary Synchronization Signal（PSS）/Secondary Synchronization Signal（SSS））又はセル固有参照信号（Cell specific Reference Signal（CRS））と共に、セル検出用参照信号を送信する。これにより、既存の端末及び新規の端末の双方ともに信号を観測可能となる。
【０００７】
また、セル検出用参照信号の構成として、LTE-Advancedのシステムに既に存在する信号の周期、帯域（つまり、時間・周波数リソース）等を変更して使用することが考えられている。セル検出用参照信号として使用される信号の候補として、Positioning Reference Signal（PRS）、チャネル情報測定用参照信号（Channel State Information-Reference Signal：CSI-RS）、reduced PSS/SSS+CRSなどが挙げられている（非特許文献１参照）。
【０００８】
ここでは、一例として、セル検出用参照信号としてCSI-RSを応用する場合について説明する。
【０００９】
CSI-RSは、以下を目的として導入された信号である。端末は、CSI-RSを用いて基地局から端末までのチャネル情報を観測し、観測値に沿ったフィードバック信号を生成して基地局へ報告する。そして、基地局は、フィードバック信号に基づいて適応変調又はプリコーディングの制御などを行う。CSI-RSは、基地局の最大８ポートの送信アンテナに応じた構成で定義される（非特許文献２参照）。より具体的には、CSI-RSは、基地局の送信アンテナポート数に応じて、８ポート、４ポート、２ポートの構成でそれぞれ定義される。
【先行技術文献】
【非特許文献】
【００１０】
【非特許文献１】3GPP TSG RAN WG1 meeting, R1-133457, NTT DOCOMO, “Small Cell Discovery for Efficient Small Cell On/Off Operation”, August 2013
【非特許文献２】3GPP TS36.211v11.4.0(2013-09), “Evolved Universal Terrestrial Radio Access (E-UTRA); Physical channels and modulation (Release 11)”, September 2013
【発明の概要】
【００１１】
ところで、セル検出用参照信号として、CSI-RSなどの既存の参照信号を単純に組み合わせると、次のような課題が生じる。具体的には、端末でのセル検出用参照信号の検出精度を向上させるためには、セル検出用参照信号を送信するリソースがデータ送信に用いられないことが望ましい。このため、高密度に配置する小型セルの数が多くなるにつれ、セル検出用参照信号を送信するリソースでは、データ送信に利用可能なリソースが少なくなる。そして、セル検出用参照信号を配置するサブフレームでの周波数利用効率が低下してしまう。マクロセルあたりの小型セル数が例えば２０〜１００セルといった大きな数となるほど、この課題はより顕著となる。
【００１２】
そこで、本開示の一態様は、セル検出用参照信号を配置するサブフレームでの周波数利用効率の低下を防ぐことができる基地局、通信方法、及び、集積回路を提供する。
【００１３】
本開示の一態様の基地局は、セル検出用の第１の参照信号が配置されるサブフレームを設定し、前記第１の参照信号は、前記サブフレーム内の、第２の参照信号を配置するために設定された複数のリソースの一部である複数の候補リソースの何れかに配置される、設定部と、前記サブフレームを示す情報を送信する送信処理部と、前記第１の参照信号を用いて測定された受信品質の測定結果を示す測定情報を受信する受信処理部と、を具備する。前記複数の候補リソースは、前記複数のリソースのうち、端末が接続する基地局において前記第２の参照信号を無送信とするリソースであり、各セルのセル識別番号に基づいて、前記複数の候補リソースのうち、各セルから送信される前記第１の参照信号がそれぞれ配置されるリソースが決定される。
【００１４】
なお、これらの包括的または具体的な側面は、システム、装置、方法、および、コンピュータプログラムで実現されてもよく、システム、装置、方法、およびコンピュータプログラムの任意な組み合わせで実現されてもよい。
【００１５】
本開示によれば、セル検出用参照信号を配置するサブフレームでの周波数利用効率の低下を防ぐことができる。
【図面の簡単な説明】
【００１６】
【図１】CSI-RSが配置されるリソースの構成例を示す図
【図２】本開示の実施の形態１に係る基地局の主要構成を示すブロック図
【図３】本開示の実施の形態１に係る端末の主要構成を示すブロック図
【図４】本開示の実施の形態１に係る基地局の構成を示すブロック図
【図５】本開示の実施の形態１に係る端末の構成を示すブロック図
【図６】無送信信号リソースの設定例を示す図
【図７Ａ】本開示の実施の形態２に係るCSI-RS構成を示す図（２アンテナポートの場合）
【図７Ｂ】本開示の実施の形態２に係るCSI-RS構成を示す図（４アンテナポートの場合）
【図７Ｃ】本開示の実施の形態２に係るCSI-RS構成を示す図（８アンテナポートの場合）
【図８】本開示の実施の形態３に係るシステム構成の一例を示す図
【発明を実施するための形態】
【００１７】
（本開示の基礎となった知見）
図１Ａ〜Ｃは、サブフレームにおいてCSI-RSが配置されるリソースの構成例を示す図である。図１Ａはアンテナポート数が８ポートの構成例、図１Ｂはアンテナポート数が４ポートの構成例、図１Ｃはアンテナポート数が２ポートの構成例をそれぞれ示す。また、図１Ａ〜Ｃでは、１２個のサブキャリアを束ねた２つのリソースブロック（RB）により１つのサブフレームが構成されている。また、図１Ａ〜Ｃにおいて、#i（0〜19）は、各サブキャリア内で、時間領域で連続する２つのOrthogonal Frequency Division Multiplexing（OFDM）シンボルからなるリソース（2RE（Resource Element））を表すCSI-RS構成番号である。各リソース（2RE）では、２ポート分のCSI-RSが符号多重される。
【００１８】
また、各端末は、CSI-RSに関する情報を基地局から上位レイヤ（higher layer）を介して予め取得している。具体的には、CSI-RSに関する情報としては、以下が挙げられる。アンテナポート数（antennaPortsCount）、サブフレーム内のサブキャリア及びOFDMシンボル位置を特定するCSI-RS構成番号（resourceConfig：例えば、図１中の番号#0〜#19など）、 送信周期とオフセットとで構成される送信サブフレーム（subframeConfig）、及び、 参照信号とデータ信号との電力比（p-C）等が挙げられる。
【００１９】
図１Ａ〜図１Ｃでは、CSI-RS構成番号は、時間軸（横軸）方向の順に、かつ、同一時間では周波数軸（縦軸）方向の順に、付与されている。また、図１Ａ〜図１Ｃに示すように、各アンテナポート数に対応するCSI-RS構成間で、各CSI-RS構成番号のリソースの開始位置（番号付与の順序における開始位置）には同一番号が付与されている。また、図１Ａ〜図１Ｃに示すように、アンテナポート数が少ない場合のCSI-RS構成は、アンテナポート数が多い場合のCSI-RS構成のサブセットを構成している。これにより、各アンテナポート数に対応するCSI-RS構成において重複した番号付けを用いつつ、アンテナポート数毎の各リソースの特定を必要最小限の番号にて網羅できる。例えば、図１Ｃに示す２ポートのCSI-RS構成番号#0は、図１Ａに示す８ポートのCSI-RS構成番号#0で示されるリソース（８ＲＥ）のうち、開始位置から２ポート分のリソース（２ＲＥ）のみと特定することができる。
【００２０】
なお、前述したように、適応変調又はプリコーディングの制御対象の各基地局と端末との間のチャネル情報を観測するために、基地局は端末に対してCSI-RSに関する情報を予め通知する手順を採っている。CSI-RSをセル検出用参照信号として用いる場合も、複数の基地局によって構成されるネットワークから端末へ所定の情報を予め通知することが可能である。例えば、ネットワークから端末へ、前述のCSI-RS構成番号又は送信サブフレーム等の情報を予め通知することで、端末側では、セル検出のための信号測定が可能となる。
【００２１】
出願人らは、上記の知見にもとづき鋭意研究した結果、セル検出用参照信号を、セル検出用参照信号が配置されるサブフレーム内の他の参照信号（例えば、CSI-RS）を配置するために設定された複数のリソースの一部である候補リソースの何れかに配置するという構成をとれば、セル検出用参照信号を配置するサブフレームでの周波数利用効率の低下を防ぐことができることを見出した。
【００２２】
以下、本開示の実施の形態について図面を参照して詳細に説明する。なお、実施の形態において、同一の構成要素には同一の符号を付し、その説明は重複するので省略する。
【００２３】
［実施の形態１］
LTE及びLTE-Advancedでは、下りリンクの通信方式としてOFDMA（Orthogonal Frequency Division Multiple Access）が採用されている。OFDMAにおけるセル検出用参照信号の送信方法として、特定のOFDMシンボルおよび特定のサブキャリアを用いて信号を送信することが考えられる。
【００２４】
こうすることで、端末は、測定対象となるセルと同期を確保していれば、当該信号の送信位置を把握することができる。そして、セル検出用参照信号の受信信号電力（RSRP（Reference Signal Reception Power）と呼ぶこともある）又は受信信号品質（RSRQ（Reference Signal Reception Quality）と呼ぶこともある）を観測することが可能となる。
【００２５】
一方、端末は、データ送受信を行わない時間を一定以上確保することにより、送受信機の動作を停止させて、省電力化の効果を得ることができる（Discontinuous Reception: DRX）。そこで、端末が受信動作を取る必要のある区間長を最小化して、データ送受信を行わない時間を一定以上確保するために、以下のように構成することが考えられる。複数のセルが送信するセル検出用参照信号を特定のサブフレームに集中して配置し、それ以外のサブフレームにおいて端末がより長くDRXを行えるようにネットワークを構成することが考えられる。すなわち、特定のサブフレーム内に、セル検出用参照信号をより多く配置することが求められる。
【００２６】
［通信システムの概要］
本開示の実施の形態１に係る通信システムは、基地局１００と端末２００とを有する。基地局１００は、LTE-Advancedシステムに対応する基地局であり、端末２００は、LTE-Advancedシステムに対応する端末である。
【００２７】
図２は、本開示の実施の形態１に係る基地局１００の主要構成図である。基地局１００において、設定部１０１は、セル検出用参照信号が配置されるサブフレームに関する情報を設定し、送信処理部１０４は、上記情報を送信し、受信処理部１０８は、セル検出用参照信号を用いて測定された受信品質（RSRP又はRSRQ）の測定結果を示すRRM報告（測定情報）を受信する。
【００２８】
図３は、本開示の実施の形態１に係る端末２００の主要構成図である。端末２００において、受信処理部２０３は、セル検出用参照信号を受信し、RRM報告生成部２０６は、セル検出用参照信号を用いて測定された受信品質（RSRP又はRSRQ）の測定結果を示すRRM報告（測定情報）を生成し、送信信号形成部２０８は、RRM報告を送信する。
【００２９】
なお、セル検出用参照信号は、セル検出用参照信号が配置されるサブフレーム内の他の参照信号（例えば、CSI-RS）を配置するために設定された複数のリソースの一部である複数の候補リソースの何れかに配置されている。
【００３０】
［基地局１００の構成］
図４は、本開示の実施の形態１に係る基地局１００の構成を示すブロック図である。図４において、基地局１００は、設定部１０１と、符号化・変調部１０２、１０３と、送信処理部１０４と、送信部１０５−１、１０５−２と、アンテナ１０６−１、１０６−２と、受信部１０７−１、１０７−２と、受信処理部１０８と、データ受信部１０９と、RRM報告受信部１１０とを有する。
【００３１】
設定部１０１は、RRM報告対象端末２００に対して、セル検出用参照信号に関する情報（セル検出用参照信号情報）を生成する。セル検出用参照信号情報には、例えば、送信周期とオフセットとで構成される送信サブフレーム情報が含まれる。すなわち、設定部１０１は、セル検出用参照信号が配置されるサブフレームを設定する。このように、設定部１０１は、各セルに対する受信信号電力（RSRP）及び受信信号品質（RSRQ）を測定するのに必要なパラメータを、RRM報告対象端末２００に対して設定する。
【００３２】
設定部１０１によって生成されたセル検出用参照信号情報は、制御情報（設定情報）として、符号化・変調部１０２、送信処理部１０４、及び送信部１０５において送信処理がなされた後に、RRM報告対象端末２００へ送信される。セル検出用参照信号情報を通知する制御情報として、無線リソース制御の情報（RRC signaling）を用いることができる。
【００３３】
また、設定部１０１は、リソース（Resource Block：RB）割当情報、及び、１つ又は複数のトランスポートブロック（ＴＢ）に対するＭＣＳ（Modulation and Coding Scheme）情報を含む、割当制御情報を生成する。割当制御情報には、上りリンクデータを割り当てる上りリソース（例えば、PUSCH（Physical Uplink Shared Channel））に関する割当制御情報、下りリンクデータを割り当てる下りリソース（例えば、PDSCH（Physical Downlink Shared Channel））に関する割当制御情報が含まれる。割当制御情報は、送信処理部１０４及び受信処理部１０８に出力されるとともに、PDCCHによって、基地局１００から端末２００へ通知される。
【００３４】
符号化・変調部１０２は、設定部１０１から受け取る情報を符号化及び変調し、得られた変調信号を送信処理部１０４へ出力する。
【００３５】
符号化・変調部１０３は、入力されるデータ信号（送信データ）を符号化及び変調し、得られた変調信号を送信処理部１０４へ出力する。
【００３６】
送信処理部１０４は、符号化・変調部１０２及び符号化・変調部１０３から受け取る変調信号を、設定部１０１から受け取る下りリソース割当制御情報の示すリソースにマッピングすることにより、送信信号を形成する。これにより、セル検出用参照信号情報を含む送信信号は送信される。ここで、送信信号がOFDM信号である場合には、送信処理部１０４は、変調信号を、設定部１０１から受け取る下りリソース割当制御情報の示すリソースにマッピングし、逆高速フーリエ変換（IFFT）処理を施して時間波形に変換し、CP（Cyclic Prefix）を付加することにより、OFDM信号を形成する。
【００３７】
送信部１０５−１又は１０５−２は、送信処理部１０４から受け取る送信信号に対して送信無線処理（アップコンバート、ディジタルアナログ（Ｄ／Ａ）変換など）を施し、アンテナ１０６−１又は１０６−２を介して送信する。
【００３８】
受信部１０７−１及び１０７−２は、アンテナ１０６−１又は１０６−２を介して受信した無線信号に対して受信無線処理（ダウンコンバート、アナログディジタル（Ａ／Ｄ）変換など）を施し、得られた受信信号を受信処理部１０８へ出力する。
【００３９】
なお、複数設けた送受信部及びアンテナについて、例えば、送信部１０５−１、受信部１０７−１及びアンテナ１０６−１をマクロセルの形成に用い、送信部１０５−２、受信部１０７−２及びアンテナ１０６−２を小型セルの形成に用いるといった運用も可能である。また、送受信部及びアンテナの個数は、図４に示す２個に限定されず、３個以上であってもよい。
【００４０】
受信処理部１０８は、設定部１０１から受け取る上りリソース割当制御情報に基づいて上りデータ信号及びＡＣＫ／ＮＡＣＫ情報がマッピングされているリソースを特定し、受信信号から、特定されたリソースにマッピングされている信号成分を抽出する。また、受信処理部１０８は、受信信号からRRM報告を抽出する。
【００４１】
ここで、受信信号がOFDM信号である場合には、受信処理部１０８は、抽出された信号成分に対してIDFT（Inverse Discrete Fourier Transform）処理を施すことにより、時間領域信号に変換する。
【００４２】
こうして受信処理部１０８によって抽出された上りデータ信号（受信データ）及びＡＣＫ／ＮＡＣＫ情報は、データ受信部１０９へ出力され、RRM報告は、RRM報告受信部１１０へ出力される。
【００４３】
データ受信部１０９は、受信処理部１０８から受け取る信号を復号する。これにより、上りリンクデータ及びＡＣＫ／ＮＡＣＫ情報が得られる。
【００４４】
RRM報告受信部１１０は、受信処理部１０８から受け取る信号を他の構成部（図示せず）へ出力する。基地局１００は、受信した各セルのRRM報告に基づいて、RRM報告対象端末２００の接続セル選択等を実施する。
【００４５】
［端末２００の構成］
図５は、本開示の実施の形態１に係る端末２００の構成を示すブロック図である。
【００４６】
図５において、端末２００は、アンテナ２０１と、受信部２０２と、受信処理部２０３と、リファレンス信号生成部２０４と、データ信号生成部２０５と、RRM報告生成部２０６と、送信制御部２０７と、送信信号形成部２０８と、送信部２０９とを有する。
【００４７】
受信部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００４８】
受信処理部２０３は、受信信号に含まれる設定情報、割当制御情報、及びデータ信号を抽出する。受信処理部２０３は、割当制御情報を送信制御部２０７へ出力し、設定情報をRRM報告生成部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。
【００４９】
また、受信処理部２０３は、設定情報に含まれるセル検出用参照信号情報に基づいて、セル検出用参照信号が送信される送信サブフレームを特定する。そして、受信処理部２０３は、特定した送信サブフレームにおいて、受信信号から、各セルからそれぞれ送信されるセル検出用参照信号（例えば、CSI-RS）を抽出し、セル検出用参照信号の受信値をRRM報告生成部２０６に出力する。
【００５０】
リファレンス信号生成部２０４は、送信制御部２０７から生成指示を受け取ると、リファレンス信号を生成し、送信信号形成部２０８へ出力する。
【００５１】
データ信号生成部２０５は、ＡＣＫ／ＮＡＣＫ情報及び送信データを入力とし、送信制御部２０７から受け取るＭＣＳ情報に基づいてＡＣＫ／ＮＡＣＫ情報及び送信データを符号化及び変調することにより、データ信号を生成する。なお、受信信号がOFDM信号の場合には、データ信号生成部２０５は、ＣＰ除去処理、ＦＦＴ処理も行う。
【００５２】
RRM報告生成部２０６は、受信処理部２０３から受け取るセル検出用参照信号（受信値）を用いてRRM報告を生成する。具体的には、RRM報告生成部２０６は、セル検出用参照信号を用いて受信信号電力（RSRP）又は受信信号品質（RSRQ）を測定し、測定結果を示すRRM報告（測定情報）を生成する。RRM報告生成部２０６は、生成したRRM報告を送信信号形成部２０８へ出力する。
【００５３】
送信制御部２０７は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０８へ出力すると共に、割当制御情報に含まれるＭＣＳ情報をデータ信号生成部２０５へ出力する。
【００５４】
送信信号形成部２０８は、リファレンス信号生成部２０４から受け取るリファレンス信号をリファレンス信号用のマッピングリソースにマッピングする。また、送信信号形成部２０８は、データ信号生成部２０５から受け取るデータ信号をデータマッピングリソース情報の示すデータマッピングリソースにマッピングする。また、送信信号形成部２０８は、RRM報告生成部２０６から受け取るRRM報告を、RRM報告用のマッピングリソースにマッピングする。こうして送信信号が形成される。これにより、RRM報告を含む送信信号が送信される。なお、送信信号がOFDM信号の場合には、送信信号形成部２０８は、データ信号をＤＦＴ（Discrete Fourier transform）処理した後に、データマッピングリソースにマッピングする。また、形成された送信信号に対してＣＰが付加される。
【００５５】
送信部２０９は、送信信号形成部２０８で形成された送信信号に対して送信無線処理（アップコンバート、ディジタルアナログ（Ｄ／Ａ）変換など）を施してアンテナ２０１を介して送信する。
【００５６】
［基地局１００及び端末２００の動作］
以上の構成を有する基地局１００及び端末２００の動作について説明する。
【００５７】
なお、以下の説明では、特に記述の無い限り、セル検出用参照信号は、セル検出用参照信号の送信サブフレームにおいてシステム帯域全体に渡り送信されるものとする。
【００５８】
また、以下の説明では、一例として、セル検出用参照信号を配置するためのリソースとして、CSI-RSを配置するために設定されたリソースの一部を利用する場合について説明する。
【００５９】
基地局１００において、設定部１０１は、設定対象端末２００に対して、セル検出用参照信号を送信するためのサブフレームを示す送信サブフレーム情報を生成する。送信サブフレーム情報には、例えば、送信周期とオフセットとに対応したパラメータが含まれる。送信サブフレーム情報は、基地局１００から端末２００へ予め通知されることにより、基地局１００と端末２００との間で共有される。
【００６０】
このように基地局１００は、セル検出用参照信号に関する情報を端末２００に通知することにより、端末２００に対してセル検出用参照信号を用いたRRM報告を実施させる。
【００６１】
例えば、基地局１００は、端末２００に対して、以下のような取り決めを行うことにより、端末２００からRRM報告を得ることができる。例えば、セル検出用参照信号を受信した際の受信信号電力（RSRP）又は受信信号品質（RSRQ）の測定結果について予め定めたイベントが発生した時点でRRM報告をフィードバックするという取り決めを行う。又は、所定の受信信号電力又は受信信号品質を上回るセルすべてに対する測定結果を報告させるという取り決めを行う。予め定めたイベントとしては、以下が挙げられる。例えば、或るセルからのセル検出用参照信号を受信した際の受信信号電力又は受信信号品質の測定結果が、所定の閾値を超えている場合である。また、端末２００が所属するセルの受信信号電力又は受信信号品質と比較して所定のレベル差以内となる場合である。又は、端末２００が所属するセルの受信信号電力又は受信信号品質と比較して所定のレベル差を超える場合などである。
【００６２】
また、基地局１００及び端末２００は、CSI-RSに設定された複数のリソース（例えば図１を参照）のうち、予め設定した一部のリソースのみを、セル検出用参照信号用リソースとして用いる。すなわち、各セルから送信されるセル検出用参照信号は、CSI-RSを配置するために設定された複数のリソースの一部である複数のリソース（候補リソース）の何れかに配置されている。
【００６３】
例えば、CSI-RSに設定されるリソースとして、CSI-RS構成番号（図１Ｃに示す#0〜#19）で示される、２ポート用CSI-RSに利用可能な２０個のリソースと、各CSI-RS構成番号が示すリソースにおいて２ポートを多重する２種類の拡散符号（{+1,+1}、{+1,-1}）との組み合わせからなる合計４０個のリソースがある。
【００６４】
基地局１００及び端末２００は、この４０個のリソースのうちの一部のリソースのみを、セル検出用参照信号用のリソース（候補リソース）として限定する。例えば、基地局１００及び端末２００は、２０個のCSI-RS構成番号が示す２０個のリソースのうち、CSI-RS構成番号の小さい方から１０個（#0〜#9）に限定する。この場合、基地局１００及び端末２００は、上記４０個のリソースのうち、限定した１０個のリソース（CSI-RS#0〜#9が示すリソース）と、２種類の拡散符号との組み合わせからなる合計２０個のリソースのみを、セル検出用参照信号用の候補リソースとして用いる。
【００６５】
また、基地局１００及び端末２００は、各セルのセル識別番号（Cell ID）に基づいて、上記一部のリソース（上記例では２０個のリソース）のうち、各セルから送信されるセル検出用参照信号がそれぞれ配置されているリソースを特定する。例えば、各セルのセル検出用参照信号のリソースは、セル識別番号（Cell ID）を用いて、mod(Cell ID, 20)とすることで得られる値（Vshift）（Vshift=0〜19）に対応したリソースとして特定される。
【００６６】
ここで、LTEでは、Cell IDを０〜５０３の任意の値としている。また、上記例において、CSI-RS構成番号#0〜#9の各々と拡散符号{+1,+1}との組み合わせに対して、Vshift=0〜9がそれぞれ対応付けられ、CSI-RS構成番号#0〜#9の各々と拡散符号{+1,-1}との組み合わせに対して、Vshift=10〜19がそれぞれ対応付けられているとする。この場合、例えば、Cell ID=72を有するセルに対するVshiftはmod(72, 20)=１２となる。よって、Vshift=１２に対応する、CSI-RS構成番号#2と拡散符号{+1,-1}との組み合わせからなるリソースが、当該セルのセル検出用参照信号用のリソースとして特定される。他のセルIDについても同様である。
【００６７】
このようなセル識別番号とリソース（Vshiftに対応するリソース）との対応付けは、基地局１００と端末２００との間で予め共有される。
【００６８】
また、基地局１００は、設定した送信サブフレーム情報を用いて、データ信号のレートマッチングを実施する。具体的には、基地局１００は、送信サブフレーム情報に示されるサブフレーム中では、他セルにおいてセル検出用参照信号を送信するリソースにデータを配置しないこととし、セル検出用参照信号を送信するリソース以外の残りのリソースにデータを配置する。これにより、端末２００は、接続セルのデータからの干渉を受けることなくセル検出用参照信号を受信できる。よって、端末２００は、周辺セルのセル検出用参照信号を用いて、受信信号電力及び受信信号品質を精度良く測定することができる。更に、端末２００は、データ信号を検出する際に、当該セル検出用参照信号からの干渉を受けることなく、データの受信及び復調を行うことが可能となる。
【００６９】
一方、端末２００において、受信処理部２０３は、設定情報に含まれる送信サブフレーム情報に示される送信サブフレームにおいて、各セルからのセル検出用参照信号を受信する。そして、RRM報告生成部２０６は、セル検出用参照信号を用いてRRM報告を生成する。
【００７０】
前述したように、端末２００は、セル検出用参照信号を配置可能なリソースとしてCSI-RSのリソースを利用し、かつ、CSI-RSのリソースの一部のリソースのみをセル検出用参照信号用のリソースとするという基地局１００との取り決めを予め把握している。よって、端末２００は、セル検出用参照信号を用いて受信信号電力及び受信信号品質を測定する際、セル検出用参照信号用のリソースのみを測定対象とする。
【００７１】
また、前述したように、端末２００は、セル識別番号（Cell ID）とセル検出用参照信号用のリソース位置との対応付けを把握している。例えば、端末２００は、セル識別番号とリソースとが予め関連付けられている場合には、検出できたリソース位置からセル識別番号（Cell ID）を特定して、特定したセル識別番号に対応するリソースにおいてセル検出用参照信号を観測する。又は、端末２００は、測定対象セルのセル識別番号をネットワークから事前に受け取っている場合には、当該セル識別番号に対応したCSI-RS構成番号に対応するリソースのみにおいて、セル検出用参照信号を観測してもよい。
【００７２】
また、端末２００は、セル検出用参照信号が配置されたサブフレームにおいて、基地局１００から送信データを受信する。そして、送信データの復調及び復号を行う際、セル検出用参照信号用のリソースとして予め取り決めた上記一部のリソースの全て、又は、事前に通知された測定対象セルに対応するCSI-RS構成番号に対応するリソースがデータ送信に用いられないものと認識する。つまり、端末２００は、送信データが上記セル検出用参照信号用のリソース以外のリソースに配置されているものとして、送信データの復調及び復号の動作を行う。
【００７３】
このようにして、本実施の形態では、セル検出用参照信号の配置に用いられるリソースは、既存の参照信号（本実施の形態の例ではCSI-RS）を配置するために設定されている複数のリソースのうち一部のみとする。これにより、セル検出用参照信号が送信されるサブフレームにおいて、セル検出用参照信号が配置されるリソースの大幅な増加を防ぐことができるので、セル検出用参照信号を配置するサブフレームでの周波数利用効率の低下を防ぐことができる。
【００７４】
つまり、本実施の形態によれば、高密度に配置した小型セルを検出するためのセル検出用参照信号に利用可能なリソースを制限し、データ送信時の周波数利用効率低下を回避することができる。これにより、データ送信時の周波数利用効率低下を抑えつつ、小型セルの検出が可能となり、小型セルの高密度展開を実現することができる。
【００７５】
また、本実施の形態によれば、セル検出用参照信号が配置されるリソースとして、既存の参照信号のリソースのうち一部のリソースのみを用いることを予め取り決めておく。これにより、基地局１００及び端末２００は、セル検出用参照信号の観測動作を簡略化できるとともに、当該参照信号の送信に伴うデータ送信の周波数利用効率低下を抑えることができる。
【００７６】
また、本実施の形態では、セル検出用参照信号用のリソースは、セル識別番号を用いて特定される。これにより、セル検出用参照信号用のリソースを特定するためのシグナリングの追加が不要となる。
【００７７】
なお、本実施の形態において、２ポート用CSI-RS構成番号（#0〜#19）で示される２０個のリソースのうち、セル検出用参照信号用のリソースとして用いられる候補リソースの数は、上記例のように１０個（#0〜#9）に限定されず、他の値（例えば、６個）であってもよい。また、２ポート用CSI-RS構成番号（#0〜#19）で示される２０個のリソースのうち、セル検出用参照信号用のリソースとして用いられる候補リソースは、上記例のように、CSI-RS構成番号の小さい方から所定数のリソースに限定されない。候補リソースは、例えば、CSI-RS構成番号が偶数又は奇数のリソースであってもよく、ランダムなCSI-RS構成番号で示されるリソースであってもよい。また、本実施の形態において、セル検出用参照信号が配置されるリソースは、２ポート用CSI-RSに利用可能なリソースに限定されず、４ポート又は８ポート用CSI-RSに利用可能なリソースでもよい。
【００７８】
＜実施の形態１の変形例Ａ＞
上記実施の形態では、セル検出用参照信号がシステム帯域全体に渡り送信される場合について説明した。一方、従来のLTEにおけるセル検出の性能規定は、システム帯域幅として採りうる最小値を基準に定められていた。具体的には、セル検出の性能規定では、図１に示すRBを６個用いる6RBのシステム帯域にて所定の精度を出せるような送信条件が規定されている。すなわち、一般的に用いられる広いシステム帯域幅（例えば、50RB）の帯域全体を利用してセル検出用参照信号を送信する場合には、セル検出の性能規定において規定された送信条件よりも多くのサンプル数と広い帯域幅とが用いられることになる。
【００７９】
本変形例では、この点に着目し、セル検出用参照信号用のリソースとして用いられる上記一部のリソースとする対象を、システム帯域幅よりも狭い帯域幅と定める。例えば、セル検出用参照信号用のリソースとして、システム帯域幅の半分のリソース（RB）が用いられることとしてもよい。これにより、セル検出用参照信号用のリソースとして用いられるリソース以外のリソースはデータ送信に活用できるので、当該サブフレームにおけるデータ送信の周波数利用効率低下を更に回避することができる。また、端末２００においてセル検出用参照信号の観測対象となるリソースが限定されることにより、消費電力の増加を抑えることができる。
【００８０】
なお、本変形例において、セル検出用参照信号用のリソースとして用いられるリソースは、システム帯域幅の半分に限定されず、少なくともシステム帯域幅全体よりも狭い帯域幅のリソースであればよく、例えば、上述した6RBが設定されることとしてもよい。
【００８１】
また、上述したように取り決めた、システム帯域幅よりも狭い帯域幅を用いて、複数のセルのセル検出用参照信号を周波数領域多重してもよい。例えば、システム帯域幅の半分のリソース（RB）をセル検出用参照信号用のリソースに用いる場合、セルＡではRB番号の小さい低周波数の周波数位置にセル検出用参照信号が配置されることとしてもよい。さらに、セルＢではRB番号の大きい高周波数の周波数位置にセル検出用参照信号が配置されることとしてもよい。
【００８２】
また、セル検出用参照信号が配置される周波数位置の特定にセル識別番号を用いることもできる。例えば、システム帯域幅を等分する整数値をNfreqとして、セル検出用参照信号が配置される上記一部のリソースとして用いられる候補数を２０リソースとする。この場合、セル検出用参照信号が配置される周波数位置（配置される帯域）はmod(Cell ID, Nfreq)として特定され、セル検出用参照信号用のリソースはmod(Cell ID/Nfreq, 20)として特定される。
【００８３】
なお、本変形例において用いられる周波数位置の特定に関しては、周波数選択性CSI報告向けに定められているBandwidth partを適用することができる。これにより、端末２００における既存の測定機能を流用しつつ、セル検出動作を実施することが可能となる。
【００８４】
このように、各セルのセル検出用参照信号を周波数領域多重することにより、小型セルが高密度（例えば、２０〜１００個）に配置される場合でもセル検出用参照信号に起因する周波数利用効率の低下を防ぐことができる。
【００８５】
＜実施の形態１の変形例Ｂ＞
上記変形例Ａでは、セル検出用参照信号のサンプル数が多いことを周波数領域多重に活用する場合について説明したが、同様にして、符号領域多重を適用することもできる。すなわち、本変形例では、一例として、周波数方向に拡散系列を用いて配置し、複数のセル検出用参照信号を拡散多重する構成をとる。例えば、この場合の拡散多重として、3GPP LTEで用いられるZhadoff-Chu系列に異なる巡回シフトを付与し多重することなどが挙げられる。別の一例として、時間方向に拡散系列を用いて配置し、複数のセル検出用参照信号を拡散多重する構成をとる。例えば、この場合の拡散多重として、LTEで用いられるWalsh系列の異なる符号を用い多重することなどが挙げられる。さらに、セル検出用参照信号の拡散多重に用いられる符号数をNcodeとして、セル検出用参照信号が配置される上記一部のリソースとして用いられる候補数を２０リソースとする。この場合、セル検出用参照信号用のリソースはmod(Cell ID/Ncode, 20)として特定され、セル検出用参照信号に適用される拡散符号はmod(Cell ID, Ncode)として特定される。
【００８６】
このように、各セルのセル検出用参照信号を符号領域多重することにより、小型セルが高密度（例えば、２０〜１００個）に配置される場合でもセル検出用参照信号に起因する周波数利用効率の低下を防ぐことができる。
【００８７】
＜実施の形態１の変形例Ｃ＞
上記実施の形態では、セル検出用参照信号の配置をCSI-RSのリソースのうち一部のリソースに限定する際、任意のCSI-RS構成番号を用いる場合について説明した。これに対して、本変形例では、セル検出用参照信号用のリソースを限定する際、サブフレームを構成するスロットのうち後半のスロット（second slot）に配置されるリソースに対応したCSI-RS構成番号のみ用いる。
【００８８】
例えば、サブフレームの前半のスロット（first slot）では、端末２００がDRXから復帰する際の送受信系の処理が行われる可能性がある。これに対して、本変形例では、セル検出用参照信号用のリソースを後半のスロットに限定することにより、端末２００はDRXから復帰した直後の送受信系における不安定性の影響を軽減させてセル検出動作を行うことが可能となる。
【００８９】
［実施の形態２］
CSI-RSは、複数基地局が協調して動作することによる性能改善を狙った協調送信（Coordinated multiple transmission point：CoMP）機能を実現することも目標としている。
【００９０】
また、CoMPにおいて協調している複数の基地局に所属する送信ポイント（Transmission point: TP）から送信される参照信号（CSI-RS）を端末が精度良く観測するために、当該端末が接続しているTPのデータを無送信信号とするミューティング（muting）の手法も提供されている。
【００９１】
具体的には、前述のCSI-RS構成番号のうち、４ポートに対応したCSI-RS構成番号#0〜#9（図１Ｂ参照）のそれぞれをビットマップ（bitmap）表記にする。そして、CSI-RSを無送信とするリソース（無送信信号リソース）をどのリソースとするかが基地局から端末へ通知される仕組みを備える。どのリソースを無送信信号リソースとするかを表すビットマップ型の情報は、無送信CSI-RS構成番号リスト（zeroTxPowerResourceConfigList）と呼ばれる。
【００９２】
一例として、４ポート用CSI-RS構成番号（resourceConfig）#0〜#9で示される１０個のリソースのうち、CSI-RS構成番号#1及び#2で示される２個のリソースを無送信信号リソースとする。この場合、無送信CSI-RS構成番号リストは、{0,1,1,0,0,0,0,0,0,0}となる。ここでは、無送信CSI-RS構成番号リストの先頭ビットから順に、CSI-RS構成番号#0〜#9にそれぞれ対応し、「１」が無送信信号リソースを表し、「０」が無送信信号リソース以外のリソースを表す。
【００９３】
基地局は、前述のCSI-RSと同様に送信周期とオフセットで構成される送信サブフレーム（zeroTxPowerSubframeConfig）を無送信CSI-RS構成番号リストに併せて通知する。こうすることで、端末は、対応するサブフレーム中のどのリソースが無送信信号リソースとなるかを特定できる。図６は、或る端末が接続している送信ポイントに設定された無送信CSI-RS構成番号リスト（前述の例：{0,1,1,0,0,0,0,0,0,0}）に対応するサブフレーム中の無送信信号リソースの位置（点線で囲まれたリソース）を示す。当該送信ポイントの周辺に位置する送信ポイント（周辺TPと呼ぶ）のCSI-RS構成を、無送信信号リソース（図６では、CSI-RS構成番号#1及び#2）のいずれかと対応させることにより、端末は、該当周辺TPの信号を希望信号として観測する際に、接続している送信ポイントからのデータにより干渉を受けることがなくなり、端末におけるCSIの測定精度を向上させることができる。
【００９４】
なお、CSI-RSをセル検出用参照信号として利用する場合も、同様に、ミューティング手法を適用して、複数セルからのセル検出用参照信号の検出を精度よく実現することが可能である。
【００９５】
本実施の形態では、上述した無送信信号リソースのシグナリング（zeroTxPowerResourceConfigList）を流用して、セル検出用参照信号用のリソースの通知を行う。すなわち、本実施の形態では、図７Ａ〜図７Ｃに示す各ポート数のCSI-RS構成のうち、無送信信号リソースのシグナリングが規定されている４ポートのCSI-RS構成番号（resourceConfig。図７Ｂ）を用いて、セル検出用参照信号用のリソースが通知される。
【００９６】
本実施の形態に係る基地局及び端末は、実施の形態１に係る基地局１００及び端末２００と基本構成が共通するので、図４，５を援用して説明する。
【００９７】
本実施の形態に係る基地局１００は、実施の形態１と同様にして、設定対象端末２００に対して、セル検出用参照信号を送信するサブフレームを示す送信サブフレーム情報を生成する。
【００９８】
また、基地局１００は、セル検出用参照信号を配置可能なリソースのうち、予め設定した一部のリソースのみを、セル検出用参照信号用のリソースとして用いる。具体的には、基地局１００は、CSI-RSのリソースのうち、無送信信号リソースとして設定されるリソースを、セル検出用参照信号用のリソースとして用いる。無送信CSI-RS構成番号リストは、基地局１００から端末２００へ通知される。
【００９９】
一方、端末２００（受信処理部２０３）は、CSI-RSの複数のリソースのうち、端末２００が接続する基地局（送信ポイント）においてCSI-RSを無送信とする無送信信号リソースを示す無送信CSI-RS構成番号リストを受信する。そして、端末２００は、CSI-RSのリソースのうち、上記無送信CSI-RS構成番号リストに示されるリソースを、セル検出用参照信号用のリソースとして用いる。つまり、本実施の形態では、CSI-RSの複数のリソースのうち、セル検出用参照信号を配置するための候補リソースは、無送信CSI-RS構成番号リストに示されるCSI-RSを無送信とするリソースである。
【０１００】
例えば、４ポートのCSI-RSのリソースとして利用可能な１０個のCSI-RS構成番号（図１Ｂに示す#0〜#9。図７Ｂに示す太線で囲まれた部分）のうち、無送信信号リソースとして、CSI-RS構成番号#0,#1,#4が設定されるとする。この場合、無送信CSI-RS構成番号リスト（zeroTxPowerResourceConfigList）は、{1,1,0,0,1,0,0,0,0,0}となる。
【０１０１】
この場合、基地局１００及び端末２００は、無送信信号リソースに設定される３リソース（CSI-RS構成番号#0,#1,#4）と、２ポートを多重する２種類の拡散符号（{+1,+1}、{+1,-1}）との組み合わせからなるリソースの何れかをセル検出用参照信号用のリソースとして用いる。
【０１０２】
なお、図７Ａ〜図７Ｃに示すポート番号0〜7は、CSI-RSのポート番号15〜22にそれぞれ対応する。例えば、ポート番号0,2（CSI-RSのポート番号15,17）は、拡散符号{+1,+1}に対応し、ポート番号1,3（CSI-RSのポート番号16,18）は、拡散符号{+1,-1}に対応する。
【０１０３】
一例として、基地局１００及び端末２００は、図７Ｂに示すCSI-RS構成番号（resourceConfig）#0,#1,#4のポート番号0,2（すなわち、CSI-RSポート番号15,17）に対応した６リソース（つまり、拡散符号{+1,+1}に対応するリソース。図７Ｂの点線枠で囲まれたリソース）のみを、セル検出用参照信号用のリソースとして用いる。
【０１０４】
図７Ｂでは、CSI-RS構成番号#0とポート番号0との組み合わせに対してVshift=0が対応付けられ、CSI-RS構成番号#0とポート番号2との組み合わせに対してVshift=1が対応付けられる。同様に、CSI-RS構成番号#1とポート番号0との組み合わせに対してVshift=2が対応付けられ、CSI-RS構成番号#1とポート番号2との組み合わせに対してVshift=3が対応付けられる。また、CSI-RS構成番号#4とポート番号0との組み合わせに対してVshift=4が対応付けられ、CSI-RS構成番号#4とポート番号2との組み合わせに対してVshift=5が対応付けられる。Vshiftと各リソースとの上記対応付けは、基地局１００及び端末２００において事前に把握されている。
【０１０５】
この場合、端末２００は、セル識別番号（Cell ID）を用いて、2*mod(Cell ID/2, 3)+mod(CellID,2)とすることで得られるVshiftに対応したリソースを、セル検出用参照信号用のリソースとして特定する。なお、上式の関数内において、「Cell ID/2」はCell IDを2で割った値の小数点以下を切り捨てた値を表す。一例として、Cell ID=72を有するセルに対して、2*mod(36, 3)+mod(72,2)とすることで得られるVshiftは０であり、Vshift=０に対応する、CSI-RS構成番号#0とポート番号0との組み合わせからなるリソースが、当該セルのセル検出用参照信号用のリソースとして特定される。他の例として、Cell ID=73を有するセルに対して、2*mod(36, 3)+mod(73,2)とすることで得られるVshiftは１であり、Vshift=１に対応する、CSI-RS構成番号#0とポート番号2との組み合わせからなるリソースが、当該セルのセル検出用参照信号用のリソースとして特定される。同様に、Cell ID=74を有するセルに対して、2*mod(37, 3)+mod(74,2)とすることで得られるVshiftは２であり、Vshift=２に対応する、CSI-RS構成番号#1とポート番号0との組み合わせからなるリソースが、当該セルのセル検出用参照信号用のリソースとして特定される。他のセルIDについても同様である。
【０１０６】
なお、ここでは、セル検出用参照信号用のリソースとして、ポート番号0,2（CSI-RSポート15，17）、すなわち、拡散符号{+1,+1}を用いる構成としたが、これに限らず、ポート番号1,3（CSI-RSポート16,18）、すなわち、拡散符号{+1,-1}を用いる構成、又は、拡散符号{+1,+1}と拡散符号{+1,-1}とを併用する構成でもよい。
【０１０７】
また、端末２００は、2*mod(Cell ID/2, 3)+mod(CellID,2)の代わりに、セル識別番号（Cell ID）を用いてmod(Cell ID,6)とすることで得られるVshiftに対応したリソースをセル検出用参照信号用のリソースとして特定してもよい。
【０１０８】
このように、本実施の形態では、既存の無送信信号リソースのシグナリングを流用して、セル検出用参照信号用のリソースとして用いるCSI-RSの一部のリソースが通知される。すなわち、セル検出用参照信号用のリソースの通知は、セル検出用参照信号が送信されるサブフレームでのデータ送信について無送信信号とするリソースの通知のための無送信CSI-RS構成番号リストにおける４ポートCSI-RSのCSI-RS構成番号のビットマップ通知とすることができる。
【０１０９】
こうすることで、本実施の形態によれば、既存の無送信信号リソースのシグナリングを用いてセル検出用参照信号のリソースを基地局１００から端末２００へ通知されるので、セル検出用参照信号のリソースを通知するための新たなシグナリングの追加が不要となる。
【０１１０】
また、本実施の形態によれば、セル検出用参照信号用のリソースは、CSI-RSに設定された複数のリソースのうち、無送信信号リソースとして通知されるリソースに限定される。よって、セル検出用参照信号が配置されるリソースの大幅な増加を防ぐことができるので、当該サブフレームでの周波数利用効率の低下を防ぐことができる。すなわち、本実施の形態によれば、実施の形態１と同様、セル検出用参照信号を配置するサブフレームでの周波数利用効率の低下を防ぐことができる。
【０１１１】
［実施の形態３］
本実施の形態では、CoMP制御を行う場合について説明する。
【０１１２】
本実施の形態に係る基地局及び端末は、実施の形態１に係る基地局１００及び端末２００と基本構成が共通するので、図４，５を援用して説明する。
【０１１３】
図８は、CoMP制御の対象となる送信ポイント（CoMP measurement setと呼ばれることもある）及び端末２００を示す。図８では、マクロeNB（マクロセル）及びLPN1〜3（小型セル）によって、端末に対する協調送受信がサポートされる構成を採る。すなわち、端末２００（受信処理部２０３）は、複数の送信ポイント（マクロeNB、LPN1〜3）が協調して送信するデータ信号を受信する。また、図８では、端末２００は、LPN1に接続されている。
【０１１４】
図８に示すように、マクロeNB及びLPN1〜3は、端末２００に対して、セル検出用参照信号を送信し、端末２００は、各セルから受け取ったセル検出用参照信号を用いてRRM報告を生成し、接続しているLPN1を介して、ネットワークへRRM報告をフィードバックする。
【０１１５】
以下、本実施の形態に係るセル検出用参照信号用リソースの特定方法について説明する。
【０１１６】
なお、以下の説明では、一例として、セル検出用参照信号用のリソースとして、CSI-RSのリソースを利用する場合について説明する。
【０１１７】
また、以下の説明では、CoMP制御の対象となる送信ポイントには、同一のセル識別番号（Cell ID）が設定され（図８ではCell ID：Ａ）、かつ、互いに異なる送信ポイント識別番号（TP ID）が設定される（図８ではTP ID：Ｘ，Ｙ，Ｚ，Ｗ）。
【０１１８】
また、実施の形態１と同様にして、例えば、CSI-RSに設定されるリソースとして、２ポート用CSI-RSとして利用可能な２０個のCSI-RS構成番号（図１Ｃに示す#0〜#19）で示される２０個のリソースと、２ポートを多重する２種類の拡散符号（{+1,+1}、{+1,-1}）との組み合わせからなる合計４０個のリソースを用いる。ここでは、実施の形態１と同様、セル検出用参照信号用のリソースとして、CSI-RS#0〜#9と、２種類の拡散符号との組み合わせからなる合計２０個のリソースのみが、セル検出用参照信号用のリソース（候補リソース）として用いられる。
【０１１９】
このとき、基地局１００及び端末２００は、各送信ポイントのセル識別番号（Cell ID）及び送信ポイント識別番号（TP ID）に基づいて、セル検出用参照信号用のリソース（候補リソース）のうち、各送信ポイントから送信されるセル検出用参照信号がそれぞれ配置されているリソースを特定する。例えば、各送信ポイントのセル検出用参照信号用のリソースは、セル識別番号及び送信ポイント識別番号を用いて、mod(4*mod(Cell ID, 20)+mod(TP ID,4),20) とすることで得られる値（Vshift）（Vshift=0〜19）に対応したリソースとして特定される。
【０１２０】
例えば、実施の形態１と同様、CSI-RS構成番号#0〜#9の各々と拡散符号{+1,+1}との組み合わせに対して、Vshift=0〜9がそれぞれ対応付けられ、CSI-RS構成番号#0〜#9の各々と拡散符号{+1,-1}との組み合わせに対して、Vshift=10〜19がそれぞれ対応付けられているとする。また、例えば、図８において、Cell ID：Ａ=72、TP ID：Ｘ=0，Ｙ=1，Ｚ=2，Ｗ=3とする。この場合、端末２００は、セル検出用参照信号用のリソース位置として、マクロeNBに対してVshift=mod(4*12+0,20)=8に対応するリソースを特定し、LPN1に対してVshift=mod(4*12+1,20)=9に対応するリソースを特定し、LPN2に対してVshift=mod(4*12+2,20)=10に対応するリソースを特定し、LPN3に対してVshift=mod(4*12+3,20)=11に対応するリソースを特定する。
【０１２１】
同様に、図８において、Cell ID：Ａ=73、TP ID：Ｘ=0，Ｙ=1，Ｚ=2，Ｗ=3とする。この場合、基地局１００及び端末２００は、セル検出用参照信号用のリソース位置として、マクロeNBに対してVshift=mod(4*13+0,20)=12に対応するリソースを特定し、LPN1に対してVshift=mod(4*13+1,20)=13に対応するリソースを特定し、LPN2に対してVshift=mod(4*13+2,20)=14に対応するリソースを特定し、LPN3に対してVshift=mod(4*13+3,20)=15に対応するリソースを特定する。
【０１２２】
このように、各セルから送信されるセル検出用参照信号用のリソースは、Cell ID及びTP IDに基づいて一意に特定される。
【０１２３】
基地局１００は、各送信ポイントから、前述のようにして特定されるリソース位置にセル検出用参照信号を配置して送信信号を送信する。
【０１２４】
端末２００は、別途取得したセル識別番号を用いて、取り得る送信ポイントの候補に対応したリソースにおいてセル検出用参照信号に対する測定動作を試みることにより、どの送信ポイントから送信された信号であるかを特定する。そして、端末２００は、当該送信ポイントから送信されたセル検出用参照信号の受信信号電力及び受信信号品質を測定して、これらをRRM報告として基地局１００へ報告する。
【０１２５】
このようにして、本実施の形態によれば、協調送信が行われる場合、基地局１００及び端末２００は、セル識別番号及び送信ポイント識別番号の双方を用いてセル検出用参照信号用のリソース位置を特定する。こうすることで、協調送信が行われる場合でも、実施の形態１と同様にセル検出用参照信号が送信されるサブフレームにおける周波数利用効率低下を回避でき、かつ、端末２００において各送信ポイントに対応したリソースを特定することができる。
【０１２６】
以上、本開示の各実施の形態について説明した。
【０１２７】
［他の実施の形態］
なお、上記各実施の形態では、セル検出用参照信号を配置するためのリソースとして、CSI-RSを配置するための複数のリソースの一部を利用する場合について説明した。すなわち、セル検出用参照信号用のリソースとして、CSI-RSのリソースの一部を用いることで、CSI-RSに設定可能なリソースのうち、一部のリソースを用いて既存のRRM用信号と同等の候補数を確保することができる。ただし、セル検出用参照信号を配置するための参照信号のリソースは、CSI-RSのリソースに限定されない。例えば、セル検出用参照信号としてPRSを利用してもよい。すなわち、セル検出用参照信号用のリソースとしてPRSのリソースを用いることで、セル検出用参照信号として、周波数同期・タイミング同期に優れたPRSの信号パターンを用いることができる。そして、端末２００は、特定のリソースを用いて複数のセルを検出することができる。又は、セル検出用参照信号としてreduced PSS/SSS+CRSを利用してもよい。
【０１２８】
また、上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１２９】
例えば3GPP LTEにおいては、アンテナポートが何本の物理アンテナから構成されるかは規定されず、基地局が異なる参照信号（Reference signal）を送信できる最小単位として規定されている。
【０１３０】
また、アンテナポートはプリコーディングベクトル（Precoding vector）の重み付けを乗算する最小単位として規定されることもある。
【０１３１】
上記各実施の形態では、本開示をハードウェアで構成する場合を例にとって説明したが、本開示はハードウェアとの連携においてソフトウェアでも実現することも可能である。
【０１３２】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１３５】
本開示における端末は、セル検出用の第１の参照信号が配置されたサブフレームにおいて、各セルからの第１の参照信号を受信し、第１の参照信号は、サブフレーム内の、第２の参照信号を配置するために設定された複数のリソースの一部である複数の候補リソースの何れかに配置されている、受信処理部と、第１の参照信号を用いて測定された受信品質の測定結果を示す測定情報を生成する生成部と、測定情報を送信する送信処理部と、を具備する。
【０１３６】
本開示の端末において、受信処理部は、各セルのセル識別番号に基づいて、複数の候補リソースのうち、各セルから送信される第１の参照信号がそれぞれ配置されているリソースを特定する。
【０１３７】
本開示の端末において、受信処理部は、更に、複数のリソースのうち、端末が接続する基地局において第２の参照信号を無送信とするリソースを示す制御情報を受信し、候補リソースは、制御情報により示される第２の参照信号を無送信とするリソースである。
【０１３８】
本開示の端末において、受信処理部は、複数の送信ポイントが協調して送信するデータ信号を受信し、各送信ポイントのセル識別番号及び送信ポイント識別番号に基づいて、複数の候補リソースのうち、各送信ポイントから送信される第１の参照信号がそれぞれ配置されているリソースを特定する。
【０１３９】
本開示の端末において、第２の参照信号はチャネル情報測定用参照信号である。
【０１４０】
本開示の端末において、第２の参照信号は端末の位置測定用参照信号である。
【０１４１】
本開示における基地局は、セル検出用の第１の参照信号が配置されたサブフレームを設定し、第１の参照信号は、サブフレーム内の、第２の参照信号を配置するために設定された複数のリソースの一部である複数の候補リソースの何れかに配置されている、設定部と、サブフレームを示す情報を送信する送信処理部と、第１の参照信号を用いて測定された受信品質の測定結果を示す測定情報を受信する受信処理部と、を具備する。
【０１４２】
本開示における送信方法は、セル検出用の第１の参照信号が配置されたサブフレームにおいて、各セルからの前記第１の参照信号を受信し、第１の参照信号は、サブフレーム内の、第２の参照信号を配置するために設定された複数のリソースの一部である複数の候補リソースの何れかに配置されている、受信工程と、第１の参照信号を用いて測定された受信品質の測定結果を示す測定情報を生成する生成工程と、測定情報を送信する送信工程と、を具備する。
【０１４３】
本開示における受信方法は、セル検出用の第１の参照信号が配置されたサブフレームを設定し、第１の参照信号は、サブフレーム内の、第２の参照信号を配置するために設定された複数のリソースの一部である複数の候補リソースの何れかに配置されている、設定工程と、サブフレームを示す情報を送信する送信工程と、第１の参照信号を用いて測定された受信品質の測定結果を示す測定情報を受信する受信工程と、を具備する。
【産業上の利用可能性】
【０１４４】
本開示は、移動通信システム等に有用である。
【符号の説明】
【０１４５】
１００    基地局
１０１    設定部
１０２，１０３    符号化・変調部
１０４    送信処理部
１０５，２０９    送信部
１０６，２０１    アンテナ
１０７，２０２    受信部
１０８，２０３    受信処理部
１０９    データ受信部
１１０    RRM報告受信部
２００    端末
２０４    リファレンス信号生成部
２０５    データ信号生成部
２０６    RRM報告生成部
２０７    送信制御部
２０８    送信信号形成部
【図１】
2020114015.tif 000003
【図２】
2020114015.tif 000004
【図３】
2020114015.tif 000005
【図４】
2020114015.tif 000006
【図５】
2020114015.tif 000007
【図６】
2020114015.tif 000008
【図７Ａ】
2020114015.tif 000009
【図７Ｂ】
2020114015.tif 000010
【図７Ｃ】
2020114015.tif 000011
【図８】
2020114015.tif 000012